(57)【要約】【課題】広範囲であって、しかも複雑な曲面から形成される被塗布面に対して液状化粧料を簡易、且つ正確に塗布できるようにする。【解決手段】軸部１１と、弾性を有する塗布部１２とから構成され、該塗布部１２を軸部１１の軸線に対して角度を有するよう一体に形成するとともに、該塗布部１２の一面の塗布面１３において、平面状である平面部１４と、該平面部１４に連続し、全面を湾曲面１６とする凹陥部１５とを形成するものであるので、平面の被塗布面においては平面部が、複雑な曲面から形成される被塗布面には凹陥部が対応することで塗布部の塗布面は確実に密着して、液状化粧料を万遍なく、しかも簡易に塗布することができるものである。【選択図】図２
2014045876.tif 000002
【特許請求の範囲】
【請求項１】
軸部と、弾性を有する塗布部とから構成され、
該塗布部を軸部の軸線に対して角度を有するよう一体に形成するとともに、該塗布部の一面を塗布面とし、
該塗布面において、平面状である平面部と、該平面部に連続し、全面又はその一部を湾曲面とする凹陥部とを形成する
ことを特徴とする液状化粧料塗布体。
【請求項２】
上記弾性を有する塗布部の塗布面において、平面部に連続して形成される凹陥部における湾曲面を、異なる曲率からなる複数の湾曲面とする
ことを特徴とする請求項１記載の液状化粧料塗布体。
【請求項３】
上記弾性を有する塗布部の塗布面において、その全面又はその一部に対してフロッキー植毛加工をしてなる
ことを特徴とする請求項１乃至３のうち、いずれか一つに記載の液状化粧料塗布体。
【発明の詳細な説明】
【技術分野】
【０００１】
本願発明は、液状口紅やリップグロス等の液状化粧料（以下、「液状化粧料」とする。）の塗布に使用する液状化粧料塗布体に関する。
【背景技術】
【０００２】
従来、液状化粧料の塗布に使用する液状化粧料塗布体には、少なくとも該液状化粧料塗布体の塗布部を、軟質樹脂、エラストマー又はゴム等の軟質材（以下、「軟質材」とする。）からなり、該塗布部の塗布面をヘラ状、又は円柱の端面を斜平面状、すなわち塗布部の塗布面を平面としてなるものがある。その結果、被塗布面に対して塗布部の塗布面は確実に密着し、液状化粧料を薄く広く塗布することができるものである。
【０００３】
しかしながら、例えば口唇等のように、その表面が複雑な曲面により形成されているため、該塗布部の塗布面が上記ヘラ状又は斜平面状であるとすると、該口唇等の表面に対して弾性によって塗布部は多少変形しつつ接するものの全面的に接することができるものではない。さらに、塗布部の塗布面が平面状であると、該塗布部において十分に液状化粧料を保持することができなくなる。その結果、広範囲の被塗布面に対して液状化粧料を塗布しようとすると、反復して液状化粧料の塗布を行わなければならず、使用者にとって非常に煩らしいものである。
【０００４】
そこで、例えば口唇等のように複雑な曲面からなる被塗布面に対して確実に密着し、且つ広範囲にわたって液状化粧料を容易に塗布できるように塗布部での保持量を増大させるものとして、液状化粧料塗布体におけるヘラ状の塗布部を曲面とするもの（特許文献１参照）や、塗布部の塗布面を曲面により構成すると共に、中央部に凹部を形成するもの（特許文献２参照）が提案されている。
【０００５】
そのため、上記液状化粧料塗布体におけるヘラ状の塗布部を曲面とするものでは、該塗布部は複雑な曲面から形成される被塗布面において該塗布部の曲面と被塗布面とが合致すれば密着することができるとともに、液状化粧料の保持量をも増大させることができる。
【０００６】
しかしながら、塗布部とともに該液状化粧料塗布体を構成する軸部の軸線の延長線上に形成されているので口唇等、特に上唇に対する塗布では、被塗布面である上唇に対して塗布部の角度を自由にとれず、塗布部の曲面を十分に生かせないことから塗布部が確実に密着しないので、塗布面の曲面を生かして液状化粧料を塗布することは非常に困難なものとなる。また、塗布部の塗布面を曲面により構成すると共に、中央部に凹部を形成するものでは、被塗布面に対して塗布部の角度を自由にとることができるので、複雑な曲面をなす被塗布面に対して確実に密着させることができるとともに、液状化粧料の保持量を増大させることができるものである。しかしながら、塗布部の塗布面の周縁が曲面であるので、例えば口唇の輪郭を明確にするように液状化粧料を塗布することは困難なものとなる。
【先行技術文献】
【特許文献】
【０００７】
【特許文献１】特開２０１１−１２５４２１号公報
【特許文献２】特開２０１０−１３１３２９号公報
【発明の概要】
【発明が解決しようとする課題】
【０００８】
解決しようとする問題点は、平面のみならず、複雑な曲面から形成される被塗布面に対して塗布部を確実に密着させて液状化粧料を万遍なく、しかも正確に塗布することができないとともに、塗布部での液状化粧料の保持量を増加させて広範囲にわたり容易に塗布することができない点である。
【課題を解決するための手段】
【０００９】
第１の特徴として、
軸部と、弾性を有する塗布部とから構成され、
該塗布部を軸部の軸線に対して角度を有するよう一体に形成するとともに、該塗布部の一面を塗布面とし、
該塗布面において、平面状である平面部と、該平面部に連続し、全面又はその一部を湾曲面とする凹陥部とを形成するものである。
【００１０】
そのため、液状化粧料の塗布にあたっては、被塗布面に対して塗布部の角度を自由にとることができるものとなる。その結果、被塗布面に対して塗布部の塗布面、すなわち平面部及び凹陥部は弾性を以て確実に密着するので、液状化粧料を万遍なく容易に塗布することができるものである。
特に、塗布部の塗布面を形成する平面部では、その外形の輪郭が明確になっており、しかも被塗布面に対して平面部全体が確実に密着するものとなる。その結果、凹陥部の液状化粧料を供給しながら、被塗布面に対して液状化粧料を広く薄く、しかも口角の細部や輪郭に沿って液状化粧料を正確に塗布することができるものである。
そして、塗布部の塗布面を形成する凹陥部では、該凹陥部内で液状化粧料を保持するとともに、該凹陥部の全部又はその一部の湾曲面が複雑な曲面から形成される被塗布面に対して確実に密着するものとなる。その結果、該凹陥部において保持する多量の液状化粧料を被塗布面に対して万遍なく、しかも広範囲にわたって容易に塗布することができるものである。
【００１１】
ここで、塗布部の塗布面に形成される凹陥部は、液状化粧料の保持と共に、複雑な曲面から形成される被塗布面に対して確実に密着するので、湾曲面は凹陥部の全部又はその一部であっても良いものである。さらに凹陥部内に保持する液状化粧料の保持量を増大させる場合には、凹陥部の内底部を平坦面として凹陥部内の容積を増大させてもよいものである（図５参照）。
【００１２】
また、塗布部の弾性は、塗布部の塗布面が被塗布面に対して確実に密着するように変形するために必要となるものである。そのため、塗布部を形成する材質自体が弾性を有するものとしたり、例えば塗布部を薄板状とするように、塗布部の形状をもって弾性を有するものとしても良いものである。そして、塗布部の有する弾性も、例えば塗布部全体の厚さを先端にいくに従って薄くして先端の弾性を大とするように、塗布部の有する弾性を不均一としても良いものである。
【００１３】
第２の特徴として、
上記弾性を有する塗布部の塗布面において、平面部に連続して形成される凹陥部における湾曲面を、異なる曲率からなる複数の湾曲面とするものである。
【００１４】
そのため、異なる曲率の曲面から形成される被塗布面に対しても、塗布部の凹陥部内のいずれかの湾曲面が確実に密着するものとなる。その結果、該凹陥部において保持する多量の液状化粧料を被塗布面に対して万遍なく、しかも広範囲にわたって容易に塗布することができるものである。
【００１５】
第１の特徴又は第２の特徴を踏まえて、第３の特徴として、
上記弾性を有する塗布部の塗布面において、その全面又はその一部に対してフロッキー植毛加工をしてなるものである。
【００１６】
そのため、塗布部のフロッキー植毛加工をしてなる塗布部の塗布面の全面又は一部では、より多くの液状化粧料を保持するものでとなる。その結果、塗布部全体での液状化粧料の保持量は著しく増大するものとなるので、被塗布面に対して、該凹陥部において保持する多量の液状化粧料を、万遍なく、しかもより広範囲にわたって容易に塗布することができるものとなる。
【発明の効果】
【００１７】
本願発明は、塗布部の塗布面が平面状である平面部と、該平面部に連続する湾曲面である凹陥部とから形成されるので、被塗布面が平面のみならず、複雑な曲面から形成されるものであっても、該塗布面は確実に密着し、しかも凹陥部内では液状化粧料を十分に保持しているので、被塗布面に対して万遍なく、正確に、しかも広範囲にわたり容易に液状化粧料を塗布することができる優れた効果を有するものである。
【図面の簡単な説明】
【００１８】
【図１】図１は、本願発明の実施例１である液状化粧料塗布体を具える液状化粧料塗布容器の拡大断面図である。
【図２】図２（イ）は、本願発明の実施例１である液状化粧料塗布体を具える液状化粧料塗布容器を構成し、本願発明の実施例１である液状化粧料塗布体を保持するキャップの拡大側面図、（ロ）は、本願発明の実施例１である液状化粧料塗布体の拡大側面図、（ハ）は、本願発明の実施例１である液状化粧料塗布体の拡大正面図、及び（ニ）は、本願発明の実施例１である液状化粧料塗布体のＡ−Ａ断面図である。
【図３】図３は、本願発明の実施例１である液状化粧料塗布体の変形例である液状化粧料塗布体を具える液状化粧料塗布体を保持するキャップの拡大側面図である。
【図４】図４（イ）は、本願発明の実施例２である液状化粧料塗布体の側面図、（ロ）は、本願発明の実施例２である液状化粧料塗布体の正面図、（ハ）は、本願発明の実施例２である液状化粧料塗布体のＢ−Ｂ断面図である。
【図５】図５（イ）は、本願発明の実施例３である液状化粧料塗布体の側面図、（ロ）は、本願発明の実施例３である液状化粧料塗布体の正面図、（ハ）は、本願発明の実施例３である液状化粧料塗布体のＣ−Ｃ断面図である。
【発明を実施するための形態】
【００１９】
液状化粧料塗布体において、平面のみならず複雑な曲面から形成される被塗布面に確実に密着させて液状化粧料を万遍なく、正確に、しかも広範囲にわたり容易に塗布することを、弾性を有する塗布部を軸部の軸線に対して角度を有するよう一体に形成するとともに、該塗布部の塗布面において、平面状である平面部と、該平面部に連続し、全面又はその一部を湾曲面とする凹陥部とを形成することで実現した。
【実施例１】
【００２０】
図１において示すのは、本願発明の実施例１である液状化粧料塗布体１０を具える液状化粧料塗布容器１である。そして、該液状化粧料塗布容器１は、その内部に液状口紅、リップグロス等の液状化粧料（以下、「液状化粧料」という。）３を貯留し、その開口部４では後述する本願発明の実施例１である液状化粧料塗布体１０を保持する保持軸９又は塗布部１２に密着して過剰に付着した液状化粧料３を拭い去るシゴキ５を内装するとともに、その外周面には雄ネジ部６を螺設してなる塗布容器本体２と、その内周面において前記塗布容器本体２の開口部４の外周面に螺設する雄ネジ部６と螺合して該開口部４を閉塞自在としてなる雌ネジ部８を螺設するものであって、後述する本願発明の実施例１である液状化粧料塗布体１０の軸部１１を保持する保持軸９の根元部９ａを嵌合して一体に固持するキャップ７とからなるものである。
【００２１】
そして、本願発明の実施例１である液状化粧料塗布体１０は、図２（イ）〜（ニ）に示すように、上記保持軸９の保持孔９ｂ内に挿嵌される軸部１１と、弾性を有する塗布部１２とから構成されるものである。さらに、該塗布部１２を軸部１１の軸線に対して角度を有するよう一体に形成するとともに、該塗布部１２の一面を塗布面１３とし、該塗布面１３において、平面状である平面部１４と、該平面部１４に連続し、全面にわたって湾曲面１６とする凹陥部１５とを形成するものである。
【００２２】
本願発明の実施例１である液状化粧料塗布体１０は以上の構成を具えるので、液状化粧料３の塗布にあたっては次のようになるものである。
まず液状化粧料３を塗布するにあたり、キャップ７と塗布容器本体２との螺合を解くとともに引張するものである。そして、キャップ７に保持軸９を介して固持される本願発明の実施例１である液状化粧料塗布体１０の塗布部１２はシゴキ５を通過して外部に取り出されるものとなる。従って、塗布部１２の塗布面１３、すなわち平面部１４と、該平面部１４に連続する凹陥部１５の表面には適度の液状化粧料３が付着するものとなり、特に凹陥部１５では多量の液状化粧料３が保持されるものとなる。
【００２３】
そこで、液状化粧料３を塗布する際に、塗布部１２の塗布面１３を形成する平面部１４を使用することによって、平面部１４はその外形の輪郭は明確であるので、凹陥部１５に貯留する多量の液状化粧料３を供給しながら、口角の細部や輪郭を明確にするように液状化粧料３を塗布することができるものである。
【００２４】
また、複雑な曲面から形成される被塗布面に対して液状化粧料３を塗布する際には、塗布部１２の塗布面１３を形成する凹陥部１５を使用するものである。その結果、複雑な曲面から形成される被塗布面に対して塗布部１２の塗布面１３の凹陥部１５の湾曲面１６は確実に密着するので、該凹陥部１５に貯留する多量の液状化粧料３を万遍なく、しかも容易に塗布することができるものとなる。
【００２５】
なお、図３において示すものは、本願発明の実施例１である液状化粧料塗布体１０の変形例である液状化粧料塗布体１０’である。すなわち、上記平面部１４’と、該平面部１４’と連続し、全面にわたり湾曲面１６’とする凹陥部１５’とから形成される塗布面１３’を有する塗布部１２’に対してフロッキー植毛加工をしてなるものである。その結果、上記液状化粧料塗布体１０’の塗布部１２’において塗布部１２’全体での液状化粧料３の保持量は著しく増大するものとなるので、被塗布面に対して、該凹陥部１５’において多量の液状化粧料３を保持するととともに、被塗布面に対して万遍なく、しかも広く薄く、しかも容易に液状化粧料３を塗布することができ、さらに塗布にあたっては液状化粧料３を円滑に塗布面１３’に供給しつつ塗布することができる。
【実施例２】
【００２６】
図４に示すものは、本願発明の実施例２である液状化粧料塗布体１０ａであり、該液状化粧料塗布体１０ａは、上記保持軸９の保持孔９ｂ内に挿嵌される軸部１１ａと、弾性を有する塗布部１２ａとから構成されるものである。さらに、該塗布部１２ａを軸部１１ａの軸線に対して角度を有するよう一体に形成するとともに、該塗布部１２ａの一面を塗布面１３ａとし、該塗布面１３ａにおいて、平面状である平面部１４ａと、該平面部１４ａに連続して形成され、異なる曲率である複数の湾曲面１６ａ、１６ａ’からなる凹陥部１５ａとを形成するものである。
【００２７】
本願発明の実施例２である液状化粧料塗布体１０ａは以上の構成を具えるので、液状化粧料３の塗布にあたっては実施例１の本願発明の液状化粧料塗布体１０と同様に、次のようになるものである。
すなわち、液状化粧料３を塗布するにあたり、キャップ７ａと塗布容器本体との螺合を解くとともに引張するものである。そして、キャップ７ａに保持軸９を介して固持される本願発明の実施例２である液状化粧料塗布体１０ａの塗布部１２はシゴキ５を通過して外部に取り出されるものとなる。従って、塗布部１２ａの塗布面１３ａ、すなわち平面部１４ａと、該平面部１４ａに連続する凹陥部１５ａの表面には適度の液状化粧料３が付着するものとなり、特に凹陥部１５ａでは多量の液状化粧料３が保持されるものとなる。
【００２８】
そこで、液状化粧料３を塗布する際に、塗布部１２ａの塗布面１３ａを形成する平面部１４ａを使用することによって、平面部１４ａの外形の輪郭は明確であるので凹陥部１５ａに貯留する多量の液状化粧料３を供給しながら、口角の細部や輪郭を明確にするように液状化粧料３を塗布することができるものである。
【００２９】
また、複雑な曲面から形成される被塗布面に対して液状化粧料３を塗布する際には、塗布部１２ａの塗布面１３ａを形成する凹陥部１５ａを使用するものである。その結果、複雑な曲面から形成される被塗布面に対して塗布部１２ａの塗布面１３ａを形成する凹陥部１５ａのいずれかの湾曲面１１６ａ、１６ａ’が確実に密着することになるので、該凹陥部１５ａ内に貯留される多量の液状化粧料３を万遍なく、しかも容易に塗布することができるものとなる。
【００３０】
なお、本願発明の実施例２である液状化粧料塗布体１０ａの塗布部１２ａにおいても、本願発明の実施例１である液状化粧料塗布体１０の塗布部１２の表面のようにフロッキー植毛加工を施しても良いものである。
【実施例３】
【００３１】
図５に示すものは、本願発明の実施例３である液状化粧料塗布体１０ｂであり、該液状化粧料塗布体１０ｂは、上記保持軸９の保持孔９ｂ内に挿嵌される軸部１１ｂと、弾性を有する塗布部１２ｂとから構成されるものである。さらに、該塗布部１２ｂを軸部１１ｂの軸線に対して角度を有するよう一体に形成するとともに、該塗布部１２ｂの一面を塗布面１３ｂとし、該塗布面１３ｂにおいて、平面状である平面部１４ｂと、該平面部１４ｂに連続して形成される内底を平坦部１７とし、その周縁の一部を湾曲面１６ｂとしてなる凹陥部１５ｂとからなるものである。
【００３２】
そこで、液状化粧料３を塗布する際に、塗布部１２ｂの塗布面１３ｂを形成する平面部１４ｂを使用することによって、平面部１４ｂの外形の輪郭は明確であるので、凹陥部１５ｂに貯留する多量の液状化粧料３を供給させながら、口角の細部や輪郭を明確にするように液状化粧料３を塗布することができるものとなる。
【００３３】
また、複雑な曲面から形成される被塗布面に対して液状化粧料３を塗布する際には、塗布部１２ｂの塗布面１３ｂを形成する凹陥部１５ｂを使用するものである。その結果、複雑な曲面から形成される被塗布面に対して、塗布部１２ｂの塗布面１３ｂを形成する凹陥部１５ｂのいずれかの湾曲面１６ｂは確実に密着することになるので、しかも該凹陥部１５ｂ内は内底が平坦部１７となっていて凹陥部１５ｂ内の容積は十分に拡大しているので、該凹陥部１５ｂに保持される多量の液状化粧料３を万遍なく、しかも容易に塗布することができるものである。
【符号の説明】
【００３４】
１    液状化粧料塗布容器
２    塗布容器本体
３    液状化粧料
４    開口部
５    シゴキ
６    雄ネジ部
７    キャップ
８    雌ネジ部
９    保持軸
９ａ    根元部
９ｂ    保持孔
１０、１０’、１０ａ、１０ｂ    液状化粧料塗布体
１１、１１ａ、１１ｂ    軸部
１２、１２’、１２ａ、１２ｂ    塗布部
１３、１３’、１３ａ、１３ｂ    塗布面
１４、１４’、１４ａ、１４ｂ    平面部
１５、１５’、１５ａ、１５ｂ    凹陥部
１６、１６’、１６ａ、１６ａ’１６ｂ    湾曲面
１７    平坦部
【図１】
2014045876.tif 000003
【図２】
2014045876.tif 000004
【図３】
2014045876.tif 000005
【図４】
2014045876.tif 000006
【図５】
2014045876.tif 000007